(57)【要約】【課題】リアルタイム性の高い通信プロトコルでのキャリアビジー後の再送信開始時間を短くすることが可能な無線通信システムの提供。【解決手段】管理システム１から優先的接続する通信プロトコルと再接続要求時間設定用のウィンドウ値の設定内容を該当する基地局２とその配下にある移動局３に設定する。移動局３は音声通信重視の設定になっており、データ通信の設定になっている端末４よりも再接続要求時間が短いため、移動局３の方が端末４よりも先に送信する。【選択図】      図１
2005020656.tif 000002
【特許請求の範囲】
【請求項１】
管理システムと、その配下の基地局と、その配下の端末局群とを含む無線通信システムであって、
前記基地局と優先的に接続されるべき端末局の通信プロトコルおよび再接続要求時間を設定する設定手段を含むことを特徴とする無線通信システム。
【請求項２】
前記設定手段は前記管理システムに設けられることを特徴とする請求項１記載の無線通信システム。
【請求項３】
前記管理システムが配下の基地局に対し優先的に接続されるべき前記端末局の通信プロトコルおよび再接続要求時間を設定し、その設定を受けた基地局が配下の端末局に対し前記通信プロトコルおよび再接続要求時間の情報を送信することを特徴とする請求項２記載の無線通信システム。
【請求項４】
前記通信プロトコルおよび再接続要求時間の情報を受信した端末局がその情報に基づき再接続要求時間を設定することを特徴とする請求項３記載の無線通信システム。
【請求項５】
前記管理システムは複数の基地局を管理することを特徴とする請求項１から４いずれかに記載の無線通信システム。
【請求項６】
前記管理システムは１個の基地局を管理することを特徴とする請求項１から４いずれかに記載の無線通信システム。
【請求項７】
キャリアビジー状態における再送信の際に前記再接続要求時間が適用されることを特徴とする請求項１から６いずれかに記載の無線通信システム。
【請求項８】
前記再接続要求時間は優先的に接続しない前記通信プロトコルに比べ、短く設定されることを特徴とする請求項１から７いずれかに記載の無線通信システム。
【請求項９】
リアルタイム性を重視する前記通信プロトコルがリアルタイム性を重視しない前記通信プロトコルに比べ優先度が高く設定されることを特徴とする請求項１から８いずれかに記載の無線通信システム。
【請求項１０】
前記リアルタイム性を重視する前記通信プロトコルは、音声通信または動画像通信であることを特徴とする請求項９記載の無線通信システム。
【請求項１１】
管理システムと、その配下の基地局と、その配下の端末局群とを含む無線通信システムにおける優先接続方法であって、
前記基地局と優先的に接続されるべき前記端末局の通信プロトコルおよび再接続要求時間を設定する設定ステップを含むことを特徴とする優先接続方法。
【請求項１２】
前記設定ステップは、前記管理システムから前記基地局に優先的に接続する前記通信プロトコルと再接続要求時間を設定するステップと、前記端末局から前記基地局へ通信用途別のパラメータを送信するステップと、前記基地局が前記通信用途別のパラメータを参照して、前記通信プロトコルと再接続要求時間の情報を前記端末局へ送信するステップと、前記端末局がその情報に基づき再接続要求時間を設定するステップとを含むことを特徴とする請求項１１記載の優先接続方法。
【請求項１３】
前記端末局から前記基地局へパケットの送信を試みるステップと、キャリアビジー状態であるか否かを判定するステップと、キャリアビジー状態である場合は前記端末局が前記設定された再接続要求時間だけ待機するステップと、前記再接続要求時間経過後に前記端末局から前記基地局へパケットを送信するステップと、キャリアビジー状態でない場合は前記端末局から前記基地局へパケットを送信するステップとを含むことを特徴とする請求項１１または１２記載の優先接続方法。
【請求項１４】
管理システムと、その配下の基地局と、その配下の端末局群とを含む無線通信システムにおける前記管理システムであって、
前記基地局と優先的に接続されるべき前記端末局の通信プロトコルおよび再接続要求時間を設定する設定手段を含むことを特徴とする管理システム。
【請求項１５】
管理システムと、その配下の基地局と、その配下の端末局群とを含む無線通信システムにおける前記基地局であって、
前記基地局と優先的に接続されるべき前記端末局の通信プロトコルおよび再接続要求時間の設定を前記管理システムから受け取り、その通信プロトコルおよび再接続要求時間の情報を前記端末局へ送信することを特徴とする基地局。
【請求項１６】
管理システムと、その配下の基地局と、その配下の端末局群とを含む無線通信システムにおける前記端末局であって、
前記基地局と優先的に接続されるべき前記端末局の通信プロトコルおよび再接続要求時間の情報を前記基地局から受け取り、その再接続要求時間に従ってパケットの送信を行うことを特徴とする端末局。
【発明の詳細な説明】
【０００１】
【発明の属する技術分野】
本発明は、無線通信システムおよびその優先接続方法ならびに管理システム、基地局および端末局に関し、特にキャリアビジー状態後の再接続要求時間の制御に関する。
【０００２】
【従来の技術】
昨今、ＩＰ（Ｉｎｔｅｒｎｅｔ  Ｐｒｏｔｏｃｏｌ）  電話サービスを中心としたＩＰ音声ネットワークが重要視され、無線ＬＡＮ（Ｌｏｃａｌ  Ａｒｅａ  Ｎｅｔｗｏｒｋ）による音声通信サービスも需要が高まっている。その中で無線による音声通信を含めたＩＰネットワークサービスを実現する場合がある（  従来例１と称する）  。
【０００３】
また、無線ＬＡＮネットワークでの優先通信方法については、送信データの優先度テーブルを作成し、そのテーブル内容に従って基地局から無線ＬＡＮおよび有線ＬＡＮへデータ通信を行う手段がある（  従来例２と称する）  。
【０００４】
また、各移動無線端末および有線端末をグループ化し、各グループで使用できる局線インタフェース装置の優先順位を決めて、その優先順位に従って発呼する構内電話システムが開示されている。このシステムによれば、自グループの端末が通話中でない場合における発着呼を容易にし、局線インタフェース装置の使用時の自由度を上げることが可能である（特許文献１参照）。
【０００５】
【特許文献１】
特開２０００−１１５８４２号公報（段落００２９、図１）
【０００６】
【発明が解決しようとする課題】
しかし、従来例１にて伝送速度の低い無線区間で音声通信を含めたリアルタイム性無線データ通信を実現する場合、一部のシステムを除けばランダム（ｒａｎｄｏｍ  ：無作為）  な再接続要求時間による無線通信が行われるため連続パケットデータを送信させることができず、このため無音状態などの音声通信遅延等が発生するという欠点があった。
【０００７】
また、従来例２においては、キャリアビジー状態後の再送信開始までの時間がＩＥＥＥ８０２．１１の規格に沿って行われるため、再送信開始時間がランダム化されてリアルタイム性を必要とする音声通信に対する遅延への影響が多少とも出てくるという欠点があった。
【０００８】
即ち、従来のＩＰによる音声通信等のリアルタイム通信を実現する無線ＬＡＮにおいて、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式であるため、データパケットが早い順番に送信されること、およびキャリア衝突時の再送信手続きはＩＥＥＥ８０２．１１の規格に準じていることから再送信開始時間が任意となり、音声通信を含めたリアルタイム性の無線通信遅延が発生し、音声の無音状態や動画の表示内容が停止する、といった欠点があった。
【０００９】
また、特許文献１記載の技術は、コントローラと、これに制御される複数の無線中継局と、無線中継局配下の複数の移動端末を含み、結果的に各移動端末に発呼の優先順位を与えるという点で本発明と共通するが、コントローラから無線中継局に対し移動端末の発呼の優先順位を設定するという本発明の構成とは構成が全く異なる。従って、全くの別発明である。
【００１０】
そこで、本発明の目的は、リアルタイム性の高い通信プロトコルでのキャリアビジー後の再送信開始時間を短くすることが可能な無線通信システムおよびその優先接続方法ならびに管理システム、基地局および端末局を提供することにある。
【００１１】
【課題を解決するための手段】
本発明による無線通信システムは、管理システムと、その配下の基地局と、その配下の端末局群とを含む無線通信システムであって、前記基地局と優先的に接続されるべき端末局の通信プロトコルおよび再接続要求時間を設定する設定手段を含むことを特徴とする。
【００１２】
また、本発明による優先接続方法は、管理システムと、その配下の基地局と、その配下の端末局群とを含む無線通信システムにおける優先接続方法であって、前記基地局と優先的に接続されるべき前記端末局の通信プロトコルおよび再接続要求時間を設定する設定ステップを含むことを特徴とする。
【００１３】
また、本発明による管理システムは、管理システムと、その配下の基地局と、その配下の端末局群とを含む無線通信システムにおける前記管理システムであって、前記基地局と優先的に接続されるべき前記端末局の通信プロトコルおよび再接続要求時間を設定する設定手段を含むことを特徴とする。
【００１４】
また、本発明による基地局は、管理システムと、その配下の基地局と、その配下の端末局群とを含む無線通信システムにおける前記基地局であって、前記基地局と優先的に接続されるべき前記端末局の通信プロトコルおよび再接続要求時間の設定を前記管理システムから受け、その通信プロトコルおよび再接続要求時間の情報を前記端末局へ送信することを特徴とする。
【００１５】
また、本発明による端末局は、管理システムと、その配下の基地局と、その配下の端末局群とを含む無線通信システムにおける前記端末局であって、前記基地局と優先的に接続されるべき前記端末局の通信プロトコルおよび再接続要求時間の情報を前記基地局から受け取り、その再接続要求時間に従ってパケットの送信を行うことを特徴とする。
【００１６】
すなわち、本発明によれば、上記構成を備えることによりリアルタイム性の高いＲＴＰ（Ｒｅａｌ−ｔｉｍｅ  Ｔｒａｎｓｐｏｒｔ  Ｐｒｏｔｏｃｏｌ）等の通信プロトコルでのキャリアビジー後の再送信開始時間を短くすることが可能となる。
【００１７】
【発明の実施の形態】
以下、本発明の実施の形態について添付図面を参照しながら説明する。図１は本発明に係る無線通信システムの一例の構成図である。同図を参照すると、無線通信システムは管理システム１と、その配下の複数の基地局２（２ａ  〜２ｘ  ）と、その配下の複数の移動局３（３ａ  〜３ｘ）および端末４、５とを含んで構成される。
【００１８】
以下、移動局３（３ａ  〜３ｘ）および端末４、５をまとめて端末局群と称し、移動局３（３ａ  〜３ｘ）および端末４、５の各々を端末局と称する場合がある。
【００１９】
管理システム１と基地局２（２ａ  〜２ｘ  ）とはＬＡＮ（Ｌｏｃａｌ  Ａｒｅａ  Ｎｅｔｗｏｒｋ）  で接続され、基地局２（２ａ  〜２ｘ  ）と移動局３（３ａ  〜３ｘ）および端末４、５とは無線で接続されている。
【００２０】
管理システム１は基地局２（２ａ  〜２ｘ  ）を直接制御できるよう構成されており、各基地局単位の設定が可能となっている。
【００２１】
一例として、移動局３ａ〜３ｘはリアルタイム接続性を重視した無線ＬＡＮ移動局であり、端末４、５は無線ＬＡＮカード接続のパーソナルコンピュータ等の通信用途端末であるとする。移動局３ａ〜３ｘはリアルタイム接続性を重視した端末であるから再接続については他の端末に優先させる必要がある。
【００２２】
図２は再接続要求時間設定ウインドウ値の一例を示す図である。同図の縦軸は再接続要求時間用ウインドウ値を示している。このウインドウ値は再接続要求時間の長さ（  秒）  に対応している。
【００２３】
同図は一例として、リアルタイム接続性を重視した端末局３（３ａ  〜３ｘ）に通信プロトコルＲＴＰ（Ｒｅａｌ−ｔｉｍｅ  Ｔｒａｎｓｐｏｒｔ  Ｐｒｏｔｏｃｏｌ  ）が設定され、リアルタイム接続性を重視しない端末局４に通信プロトコルＰＯＰ３（Ｐｏｓｔ  Ｏｆｆｉｃｅ  Ｐｒｏｔｏｃｏｌ  ｖｅｒｓｉｏｎ  ３）が、端末局５に通信プロトコルＦＴＰ（Ｆｉｌｅ  Ｔｒａｎｓｆｅｒ  Ｐｒｏｔｏｃｏｌ）が夫々設定されることを示している。
【００２４】
また、端末局３（３ａ  〜３ｘ）については、通信プロトコルＲＴＰの中でも音声通信か、動画通信かでパラメータが異なるので、本実施例では音声通信（Ｖｏｉｃｅ  ）を優先化させる旨の比較的小さい値のウインドウ値３〜７が設定される。
【００２５】
一方、端末局４は通信プロトコルＰＯＰ３でデータ通信を行うのでウインドウ値は端末局３よりも大きな値８〜６３が設定され、端末局５は通信プロトコルＦＴＰでデータ通信を行うのでウインドウ値は端末局４よりも大きな値６４〜２５５が設定される。
【００２６】
管理システム１はこれら各端末局に対する通信プロトコルとウインドウ値の設定を任意の基地局２に対して行う。
【００２７】
次に、本実施形態の動作について説明する。図３は本発明に係る無線通信システムの動作の一例を示すフローチャートである。まず、管理システム１から基地局２に対し優先的接続を行う通信プロトコルと再接続要求時間の設定を行う（Ｓ１）。
【００２８】
次に、基地局２の配下にある端末局群３〜５は基地局２との間で通信確立させるためのＩＥＥＥ８０２．１１の規格内にあるアソシエーションフレームにて音声通信専用やデータ通信専用、音声・データ共用、といった通信用途別のパラメータをフレーム内部に設けて基地局２に送信する（Ｓ２）。
【００２９】
次に、基地局２は事前に管理システム１との間で設定された通信プロトコルと再接続要求時間設定用ウインドウ値の内容を各端末局群３〜５の用途別パラメータから各端末局に送信する（Ｓ３）。．
次に、これらの情報を各個に受信した端末局群３〜５はアソシエーションフレーム受信後に、検出したウィンドウ値から再接続要求時間を設定する（Ｓ４）。
【００３０】
次に、キャリアビジー後の再接続の動作について説明する。図４はキャリアビジー後の再接続の動作の一例を示すフローチャートである。一例として、移動局３または端末４，５が基地局２にデータパケットを送信する場合について説明する。
【００３１】
まず、移動局３または端末４，５から基地局２へデータパケットの送信を試みる（Ｓ１１）。
【００３２】
次に、送信を試みた移動局３または端末４，５はキャリアビジー状態であるか否かを判定する（Ｓ１２）。
【００３３】
判定の結果、キャリアビジー状態である．  場合（Ｓ１２にてＹ  の場合）、その移動局３または端末４，５は設定された再接続要求時間だけ待機する（Ｓ１３）。
【００３４】
次に、その移動局３または端末４，５は再接続要求時間経過後にデータパケットを基地局２へ送信する（Ｓ１４）。
【００３５】
一方、ステップＳ１２にて、キャリアビジー状態でない．  場合（Ｓ１２にてＮ  の場合）、その移動局３または端末４，５は再接続要求時間経過後にデータパケットを基地局２へ送信する（Ｓ１４）。
【００３６】
従って、キャリアビジー状態後に基地局２へデータパケットの送信を行ったのが移動局３であった場合、再接続要求時間が端末４，５よりも短い値に設定されているため、再接続は端末４，５よりも早く実行される。
【００３７】
以上のことからキャリアビジー状態時の再接続要求処理を行う場合、音声通信用途等のリアルタイム性を重視した接続処理が優先的に処理されることでリアルタイム通信の時間遅延を少なくすることが可能になる。
【００３８】
【実施例】
まず、第１実施例について説明する。図１に示す管理システム１は配下に構成された基地局２ａ〜２ｘとＬＡＮで接続されている。管理システム１はコンソール画面上からＬＡＮにて接続された基地局２ａ〜２ｘを任意に設定することが可能になっている。
【００３９】
管理システム１は、基地局２とその配下に属する移動局３ａ〜３ｘとの通信をリアルタイム性を重視して優先させるため、以下の制御を行う。
【００４０】
管理システム１は、基地局２や端末局群に対し、ＲＴＰ等のリアルタイム性を重視した通信プロトコルは再接続要求時間が短くなるようなウィンドウ値を設定する。一方、低優先度にあたるＦＴＰなどのリアルタイム性を重視しない通信プロトコルは再接続要求時間が長くなるようなウィンドウ値を設定する。
【００４１】
無線区間上に帰属する端末局群は初期段階で基地局２との間でアソシエーションを行うが、アソシエーションフレーム内部に端末局群から通信用途種別のパラメータを設けて送られ、事前に管理システム１と基地局２の間で設定した通信プロトコルと再接続要求時間用ウインドウ値の値が通信用途別にアソシエーションレスポンス時に各端末局に送られ、受信した各端末局はウインドウ値の内容から再接続要求時間が設定される。
【００４２】
無線区間上で端末局群や基地局２からデータパケットを送信するが、無線機器が多くなるとチャネルが限られていることからキャリアビジー状態が多くなる。
【００４３】
そのため、キャリアビジー状態時に行われる再接続要求を再接続要求時間に従って、音声通信のようなリアルタイム性を重視したプロトコルは短い時間でデータパケットの再送信を行い、リアルタイム性を重視しないプロトコルは長い時間を空けてデータパケットの再送信を行う。
【００４４】
以上の流れから、リアルタイム性を重視した通信プロトコルを優先的に再接続処理させることで無線区間上の問題になる時間遅延を少なくすることができる。
【００４５】
次に第１実施例の動作について説明する。図１  の無線ＬＡＮネットワークにおいて管理システム１と管理システム１に接続された基地局群２ａ〜２ｘは電源投入後の初期設定は優先接続を行うようにはなっていない。管理システム１から任意の基地局２に対して設定変更が可能な状態になるような手続きをとり、通信プロトコルによる優先指定の設定を行う。
【００４６】
例えば、音声通信、動画像通信などのリアルタイム性を重視したＲＴＰは高優先度の順位におくような設定を行う。また、ＦＴＰ等といったリアルタイム性を重視しないデータ通信を低優先度の順位におくような設定をする。ここでは音声通信の接続を優先的に行いたいためＲＴＰで音声通信パケットの優先度を高くおく設定を行う。キャリア衝突後の再接続要求時間の設定もＲＴＰで音声通信パケットが優先処理されるように設定時間用ウインドウ値を少なくする設定を行う。
【００４７】
例えばＲＴＰの音声通信はウインドウ値をｔ１とした場合、次の優先をｐｏｐ３、次いでＦＴＰとしたときの各々のウインドウ値をｔ２、ｔ３とする（ｔ１＜ｔ２＜ｔ３）。
【００４８】
基地局２から配下にある端末局に対して、今回は移動局３にあるウィンドウ値をｔ１、通信用途端末４、５をそれぞれｔ２、ｔ３とアソシエーション時に設定し、音声通信やデータ通信を含めた複数の通信プロトコルによる通信が行われた場合、複数の端末局から同時にパケット送信を行うとキャリアビジー状態になることで、送信できなかった端末局はパケットの再送信を再接続要求時間に従って送信する。
【００４９】
以下、キャリアビジー状態となった場合の端末局の動作について図５を参照しながら説明する。図５はキャリアビジー状態となった場合の端末局の動作を示すタイミングチャートである。
【００５０】
まず、基地局２から移動局３へデータパケットが送信される（Ｓ２１）。これに対するＡＣＫ（応答パケット）が移動局３から基地局２へ返送される（Ｓ２２）。
【００５１】
この移動局３から基地局２へのＡＣＫの返送と同時に、端末４が基地局２へデータパケットの送信を試みるがキャリアビジー状態となり送信できない（Ｓ２３）。
【００５２】
端末４．  は後述するＤＩＦＳと長い再接続要求時間（ｔ２）経過後、基地局２へデータパケットを送信する（Ｓ２４）。これに対するＡＣＫが基地局２から端末４へ返送される（Ｓ２５）。
【００５３】
この基地局２から端末４へのＡＣＫの返送と同時に、移動局３が基地局２へデータパケットの送信を試みるがキャリアビジー状態となり送信できない。
【００５４】
移動局３はＤＩＦＳと短い再接続要求時間（ｔ１）経過後、基地局２へデータパケットを送信する（Ｓ２６）。これに対するＡＣＫが基地局２から移動局３へ返送される（Ｓ２７）。
【００５５】
この基地局２から移動局３へのＡＣＫの返送と同時に、端末５が基地局２へデータパケットの送信を試みるがキャリアビジー状態となり送信できない。
【００５６】
端末５はＤＩＦＳと長い再接続要求時間（ｔ３）経過後、基地局２へデータパケットを送信する（Ｓ２８）。これに対するＡＣＫが基地局２から端末５へ返送される（Ｓ２９）。
【００５７】
なお、移動局３と端末４，５とが同時に基地局２へデータパケットの送信を試みた場合も、上記と同様にキャリアビジー状態となるが、移動局３の再接続要求時間が端末４，５のそれよりも短いため、移動局３のデータパケットの送信が端末４，５よりも優先される。
【００５８】
以上説明したように、キャリアビジー状態になったときに再接続要求時間が短い移動局３のデータ送信が優先処理されることでリアルタイム性を重視した音声通信のようなデータパケットの送信が先に処理されることから、リアルタイム通信に重要になる時間遅延を少なくすることができる。
【００５９】
また、たとえば、移動局３ａ  が基地局２ａ  から基地局２ｘにローミング（ｒｏａｍｉｎｇ  ）した場合、従来であると基地局２ｘと移動局３ａとの間でアソシエーションを取り直す必要があったが、本発明の場合は管理システム１が全ての基地局２ａ〜２ｘ  を管理しているため、管理システム１は移動局３ａ  が基地局２ａ  から基地局２ｘにローミングしたことを認識している。したがって、本発明の場合、移動局３ａ  が基地局２ｘにローミングした場合でも基地局２ｘとローミングを取り直す必要がないという効果もある。さらに、移動局３ａ  の再接続要求時間設定用ウインドウ値を再設定する必要がないという効果もある。
【００６０】
なお、ＤＩＦＳはＤＣＦ  Ｉｎｔｅｒｆｒａｍｅ  Ｓｐａｃｅ（分散調整機能フレーム間隔）を意味し、これはＩＥＥＥ８０２．１１の規格で定められている。また、ＤＣＦ  はＤｉｓｔｒｉｂｕｔｅｄ  Ｃｏｏｒｄｉｎａｔｉｏｎ  Ｆｕｎｃｔｉｏｎ  （分散調整機能）を意味する。
【００６１】
次に、第２実施例について説明する。図６は本発明に係る無線通信システムの第２実施例の構成図である。なお、図１と同様の構成部分には同一番号を付し、その説明を省略する。
【００６２】
図６を参照すれば分かるように、第２実施例が第１実施例と異なる点は各基地局２ごとに管理システム１が設けられている点である。すなわち、管理システム１ａ  の配下に基地局２ａ  が設けられ、管理システム１ｘ  の配下に基地局２ｘ  が設けられている。基地局２ａ  〜２ｘ  配下の移動局３ａ〜３ｘ  および端末４〜７の接続は図１と同様である。
【００６３】
第２実施例では、管理システム１ａ  が配下の基地局２ａ  と移動局３ａ  、端末４，５に対し、優先接続する通信プロトコルと再接続要求時間設定用のウインドウ値
を設定し、管理システム１ｘ  が配下の基地局２ｘ  と移動局３ｘ  、端末６  ，７  に対し、優先接続する通信プロトコルと再接続要求時間設定用のウインドウ値を設定する。それ以降の基地局と移動局および端末間の動作は第１実施例と同様であるため、説明を省略する。
【００６４】
この第２実施例においても第１実施例と同様に、リアルタイム性を重視した音声通信のようなデータパケットの送信が先に処理されることから、リアルタイム通信に重要になる時間遅延を少なくすることができる。
【００６５】
なお、本発明は上記を含めた無線ＬＡＮ通信システム全般にわたって適用し得る。
【００６６】
【発明の効果】
以上説明したように本発明は、基地局と優先的に接続されるべき端末局の通信プロトコルおよび再接続要求時間を設定する設定手段を含むため、リアルタイム性の高い通信プロトコルでのキャリアビジー後の再送信開始時間を短くすることが可能となる。
【図面の簡単な説明】
【図１】本発明に係る無線通信システムの一例の構成図である。
【図２】再接続要求時間設定ウィンドウ値の一例を示す図である。
【図３】本発明に係る無線通信システムの動作の一例を示すフローチャートである
【図４】キャリアビジー後の再接続の動作の一例を示すフローチャートである。
【図５】複数の端末局から同時にパケット送信を行った場合の端末局の動作を示すタイミングチャートである。
【図６】本発明に係る無線通信システムの第２実施例の構成図である。
【符号の説明】
１  管理システム
１ａ，１ｘ  管理システム
２ａ，２ｘ  基地局
３ａ，３ｘ  移動局
４〜７  端末
【図１】
2005020656.tif 000003
【図２】
2005020656.tif 000004
【図３】
2005020656.tif 000005
【図４】
2005020656.tif 000006
【図５】
2005020656.tif 000007
【図６】
2005020656.tif 000008